(57)【特許請求の範囲】
【請求項１】
既存木造構造物の火頭窓付き壁の耐震補強方法において、既存の火頭窓の開口枠体および当該開口枠体の周囲の壁材を撤去した後、壁を構成する軸組内にほぼアーチ状に形成された補強枠体を設置するとともに、当該補強枠体の下端部と上端部を前記軸組にそれぞれ固定し、前記補強枠体内に窓台と窓上枠材をそれぞれ取り付け、前記窓台と窓上枠材間に前記開口枠体を改めて取り付けることを特徴とする火頭窓付き壁の耐震補強方法。
【請求項２】
補強枠体は、開口枠体の両側に立設された柱材とこの柱材の上端部間に設置された斜材とからほぼアーチ形状に形成されてなることを特徴とする請求項１記載の火頭窓付き壁の耐震補強方法。
【請求項３】
補強枠体の両側にアーム材が突設され、かつその先端部が軸組に固定されてなることを特徴とする請求項１または２記載の火頭窓付き壁の耐震補強方法。
【発明の詳細な説明】
【０００１】
【発明の属する技術分野】
本願発明は、火頭窓付き壁の耐震補強方法に関し、主に既存の寺社・仏閣建築物の耐震補強に用いられるものである。
【０００２】
【従来の技術】
伝統的な木造建築物として知られる寺社建築や仏閣建築などの日本古来の建物の場合、一般に拝殿裏の北側に壁が多く配置され、南側には壁が殆ど無く、窓や出入り口が配置されている例が多い。また、窓や出入り口などの開口部は、特に開口部の上部が炎の形状に似せて火頭アーチ状に形成されている。
【０００３】
【発明が解決しようとする課題】
しかし、このような建築様式の建物の場合、北側に壁が偏在しているため、建物の重心と剛芯のずれにより地震時や強風時にねじれが発生して、剛性の低い南側の軸組が大きく変形して、崩壊などの大被害を被るおそれがあった。
【０００４】
そこで、壁のない南側に耐震壁を新たに配置することで、北側と南側の壁量のバランスを図って、偏芯を可能な限りなくする方法が考えられているが、単に南側の壁を増設するだけでは、開口部が塞がれて室内が暗くなるだけでなく、日本古来の伝統的な寺社や仏閣建築物としての外観を損ねる等の課題があった。
【０００５】
また、この種の建物の窓や出入り口などの開口部は、上端部が火頭形状といった特殊なアーチ形状に形成されているため、矩形状をなす開口部のように開口部のコーナ部に単に火打ち材を取り付ける等の補強では対応できず、新たな耐震補強の開発が望まれていた。
【０００６】
本願発明は、以上の課題を解決するためになされたもので、日本古来の伝統的な建物の外観を損ねることなく、きわめて効果的な耐震補強が可能な火頭窓付き壁の耐震補強方法を提供することを目的とする。
【０００７】
【課題を解決するための手段】
請求項１記載の火頭窓付き壁の耐震補強方法は、既存木造構造物の火頭窓付き壁の耐震補強方法において、既存の火頭窓の開口枠体および当該開口枠体の周囲の壁材を撤去した後、壁を構成する軸組内にほぼアーチ状に形成された補強枠体を設置するとともに、当該補強枠体の下端部と上端部を前記軸組にそれぞれ固定し、前記補強枠体内に窓台と窓上枠材をそれぞれ取り付け、前記窓台と窓上枠材間に前記開口枠体を改めて取り付けることを特徴とするものである。この場合の補強枠体は木質材（主に集成材）またはＨ形鋼などの鉄骨材で形成することができる。
【０００８】
請求項２記載の火頭窓付き壁の耐震補強構造は、請求項１記載の耐震補強構造において、補強枠体は、開口枠体の両側に立設された柱材とこの柱材の上端部間に設置された斜材とからほぼアーチ形状に形成されてなることを特徴とするものである。この場合、これらの部材は現地で軸組内に一つ一つ組み立ててもよいが、工場などであらかじアーチ形状に形成しておくこともできる。
【０００９】
請求項３記載の火頭窓付き壁の耐震補強構造は、請求項１または２記載の耐震補強構造において、補強枠体の両側にアーム材が突設され、その先端が軸組に接合されてなることを特徴とするものである。
【００１０】
【発明の実施の形態】
図１と図２は、本願発明の一例を示し、図において土台１とその上に建て付けられた柱２，２とこの柱２，２間に架けわたされた梁３とから建物の軸組４が構成され、軸組４内に火頭窓の窓枠体５が設置されている。
【００１１】
また、軸組４と窓枠体５との間に耐震補強枠体６（以下「補強枠体６」という）が取り付けられ、その室内側と室外側に耐震補強板７（以下「補強板７」という）が取り付けられ、さらにその上に板張りや漆喰などの壁仕上げ材８が取り付けられている。
【００１２】
窓枠体５は下枠５ａと下枠５ａの両端部に建て付けられた竪枠５ｂ，５ｂとこの竪枠５ｂ，５ｂの上端部間に設置された上枠５ｃとから形成され、特に下枠５ａは補強枠体６の左右柱材６ａ，６ａ間に架け渡され、また左右の竪枠５ｂ，５ｂは窓枠体５の内側にアーチ状にやや膨出した形状に形成され、さらに上枠５ｃは炎の形状に似せて火頭アーチ状に形成されている。
【００１３】
補強枠体６は、土台１と左右柱２，２との仕口部イに窓枠体５の竪枠５ｂ，５ｂに沿ってそれぞれ窓枠体５側にやや傾けて立設された柱材６ａ，６ａと、この柱材６ａ，６ａの上端部間に山形状に架けわたされた斜材６ｂ，６ｂと、柱材６ａと斜材６ｂとの仕口部ロと梁３と左右柱２，２との仕口部ハ間にそれぞれ架けわたされたアーム材６ｃ，６ｃとからほぼアーチ形状（門形状）に形成されている。
【００１４】
柱材６ａと斜材６ｂとアーム材６ｃとの仕口部ロは、その室内側と室外側の両側または片側にガセット板９を取り付けて剛接合状態に補強され、また斜材材６ｂ，６ｂの上端部は梁３の中央部に固定され、かつ当該仕口部ニはその室内側と室外側の両側または片側にガセット板９を取り付けることにより剛接合状態に補強されている。なお、土台１と柱２との仕口部イと柱２と梁３との仕口部ハも、同様にガセット板９によって補強されている。
【００１５】
また、窓枠体５および補強枠体６はいずれも、木材、主に集成材から形成され、またガセット板９には鋼板などが用いられている。補強板７は窓枠体５周囲の室内側と室外側の両側に取り付けられ、また補強板７には主に構造用合板が用いられている。
【００１６】
なお、図において、符号１０は窓枠体５を受ける窓台であり、左右柱材６ａ，６ａ間に水平に架け渡され、また符号１１は窓の上枠材（まぐさ）であり、斜材６ｂ，６ｂ間に架け渡され、いずれもこの部分に取り付けられ補強板７を受けるべく設置されている。
【００１７】
また、符号１２ａは土台１、左右柱２および梁３の内側にそれぞれ取り付けられた際胴縁材であり、また１２ｂは土台１と窓台１０間に所定間隔おきに立設された竪胴縁材であり、いずれも補強板７および壁仕上げ材８の受け材として取り付けられている。さらに、これらの部材はいづれも、原則として釘止めやボルト止めされ、必要に応じて補強金物が用いられている。
【００１８】
このような構成において、施工方法を簡単に説明する。
▲１▼．最初に、既存の火頭窓の窓枠体５およびその周囲の壁材を全て撤去し、土台１とその上に建て付けられた柱２，２とこの柱２，２間に架けわたされた梁３のみを残す。また、建物（軸組）の傾斜ひずみ、水平等を補正する。さらに、新たにアンカーボルトや補強金物を用いて根固め補強を行う。
▲２▼．次に、予め組み立てた補強枠体６を軸組４の中に建て込む。そして、柱材６ａ，６ａの下端部を土台１と柱２との仕口部イに、アーム材６ｃ，６ｃの上端部を柱２と梁３との仕口部ロに、そして斜材６ｂ，６ｂの上端部を梁３の中央部にそれそれ剛接合状態に固定する。
▲３▼．次に、補強枠体６の内側に窓台１０、窓上枠材１１をそれぞれ取り付け、窓台１０と窓上枠材１１間に窓枠体５を改めて取り付ける。
▲４▼．そして、窓枠体５周囲の室内側と室外側に補強板７を取り付け、その上に壁仕上げ８を取り付けて耐震補強を完了する。
【００１９】
【発明の効果】
本願発明は以上説明したとおりであり、特に火頭形に形成された開口枠体の周囲に、ほぼアーチ形状に形成された補強枠体が取り付けられ、かつその下端部と上端部が軸組にそれぞれ固定されてなるので、開口枠体周囲の軸組はほぼ完全な剛体をなし、これにより火頭形開口部付き壁の耐震補強を、日本古来の伝統的な建物の外観を損ねることなく、確実に行うことができる。
【００２０】
また、補強枠体の両側にアーム材が突設され、かつその先端部が軸組に固定されてなるので、耐震補強はさらに高められる。
【図面の簡単な説明】
【図１】寺社建築物の正面図である。
【図２】（ａ）は火頭形窓の正面図、（ｂ）はその軸組図である。
【符号の説明】
１  土台
２  柱
３  梁
４  軸組
５  火頭窓の窓枠体
６  補強枠体（耐震補強枠体）
７  補強板（耐震補強板）
８  壁仕上げ
９  ガセット板
１０  窓台
１１  上枠材（まぐさ）
12ａ  際胴縁材
12ｂ  竪胴縁材
【図１】
0004078483.tif 000002
【図２】
0004078483.tif 000003